(57)【要約】【課題】窓の枠体における隣接した２つの枠部材をコーナーブロックを用いて連結できると共に、そのコーナーブロックにねじ挿通孔をあける必要がない窓とする。【解決手段】枠体１の隣接した２つの枠部材３の端面３ａをコーナーブロック４の２つの端面４ａに接し、その枠部材３に取付けた連結用ねじ５とコーナーブロック４の凹部４ｂに設けた引寄金具６を用いて連結するようにし、前記連結用ねじ５の頭部５ａは枠部材３の端面３ａから突出し、前記コーナーブロック４は２つの端面４ａに開口した凹部４ｂと引寄金具支持部４ｃを有し、前記連結用ねじ５の頭部５ａが凹部４ｂ内に突出し、引寄金具６の中間部が引寄金具支持部４ｃに接し、かつ両側部が各連結用ねじ５の頭部５ａを支持して引寄金具６によって連結用ねじ５をコーナーブロック４に向けて引き寄せるようにした窓。【選択図】図１
2006207261.tif 000002
【特許請求の範囲】
【請求項１】
枠体にガラスを装着した窓であって、
前記枠体における少なくとも１つの隣接した２つの枠部材はコーナーブロックを用いて連結され、
このコーナーブロックは、前記２つの枠部材の端面がそれぞれ接する２つの端面と、この２つの端面に開口した凹部と、この凹部に設けた引寄金具支持部を有し、
前記２つの枠部材は、長手方向に向かう連結用ねじを備え、その連結用ねじの頭部は枠部材の端面よりも突出し、
前記コーナーブロックの２つの端面に前記２つの枠部材の端面がそれぞれ接し、各連結用ねじの頭部が凹部内にそれぞれ突出し、
前記コーナーブロックの凹部内に引寄金具が設けられ、この引寄金具の中間部が前記引寄金具支持部に接し、かつ両側部が前記各連結用ねじの頭部を支持して各連結用ねじをコーナーブロックに向けてそれぞれ引き寄せて各枠部材の端面をコーナーブロックの２つの端面にそれぞれ押しつけて隣接する２つの枠部材をコーナーブロックで連結したことを特徴とする窓。
【請求項２】
枠部材の長手方向と直角方向一側部とコーナーブロックにおける枠部材の長手方向と直角方向一側部と対向した一側部が連結用ねじと引寄金具で連結され、コーナーブロックにおける枠部材の長手方向と直角方向他側部と対向した他側部のねじ挿通孔に挿通した組立用ねじが枠部材の長手方向と直角方向他側部のビスホールに螺合して連結されている請求項１記載の窓。
【請求項３】
長手方向と直角方向一側部に内向突部を有し、長手方向と直角方向他側部に押縁取付部を有する本体と、その押縁取付部に取付けた押縁で枠部材とし、
その本体の長手方向と直角方向一側部を連結用ねじと引寄金具でコーナーブロックにおける枠部材の長手方向と直角方向一側部と対向した一側部に連結し、
前記コーナーブロックにおける枠部材の長手方向と直角方向他側部と対向した他側部のねじ挿通孔に挿通した組立用ねじが前記本体の長手方向と直角方向他側部のビスホールに螺合して連結されている請求項１記載の窓。
【発明の詳細な説明】
【技術分野】
【０００１】
本発明は、建物の外壁等に取付ける窓に関する。
【背景技術】
【０００２】
建物の外壁等に取付ける窓としては、枠体にガラスを装着したものが一般的である。
前述した枠体を構成する隣接した枠部材をコーナーブロックを用いて連結することが特許文献１に開示されている。
具体的には、コーナーブロックにねじ挿通孔を形成し、このねじ挿通孔を挿通したねじを枠部材のビスホールに螺合してコーナーブロックと枠部材を連結している。
【０００３】
【特許文献１】実公昭６３−１８７１６号公報
【発明の開示】
【発明が解決しようとする課題】
【０００４】
前述のようにして隣接した枠部材を連結するには、コーナーブロックにねじ挿通孔をあけなければならず、その孔をあける作業に労力、時間が費やされ、コーナーブロックは孔あけのためにコストが高い。
特に、枠部材の長手方向と直角方向の両側部にビスホールをそれぞれ形成し、コーナーブロックと枠部材を２本のねじで連結するようにした場合には、コーナーブロックに１つの枠部材と連結するために２つのねじ挿通孔をあけなければならず、コーナーブロックは孔あけのためにコストが著しく高いものとなる。
【０００５】
また、コーナーブロックにあけたねじ挿通孔は、ねじを挿通した後にキャップを取付けてふさぎ、外観の見栄えを良くしている。
このために、キャップのコストがかかる。また、ねじ挿通孔をふさぐことができるが、キャップは露出しているので、キャップの見える外観となるから好ましくなく、キャップの見えない外観とすることが望ましい。
【０００６】
本発明の目的は、枠体の隣接した２つの枠部材をコーナーブロックを用いて連結できると共に、そのコーナーブロックにねじ挿通孔をあける必要がないようにした窓を提供することである。
【課題を解決するための手段】
【０００７】
本発明は、枠体にガラスを装着した窓であって、
前記枠体における少なくとも１つの隣接した２つの枠部材はコーナーブロックを用いて連結され、
このコーナーブロックは、前記２つの枠部材の端面がそれぞれ接する２つの端面と、この２つの端面に開口した凹部と、この凹部に設けた引寄金具支持部を有し、
前記２つの枠部材は、長手方向に向かう連結用ねじを備え、その連結用ねじの頭部は枠部材の端面よりも突出し、
前記コーナーブロックの２つの端面に前記２つの枠部材の端面がそれぞれ接し、各連結用ねじの頭部が凹部内にそれぞれ突出し、
前記コーナーブロックの凹部内に引寄金具が設けられ、この引寄金具の中間部が前記引寄金具支持部に接し、かつ両側部が前記各連結用ねじの頭部を支持して各連結用ねじをコーナーブロックに向けてそれぞれ引き寄せて各枠部材の端面をコーナーブロックの２つの端面にそれぞれ押しつけて隣接する２つの枠部材をコーナーブロックで連結したことを特徴とする窓である。
【０００８】
本発明においては、枠部材の長手方向と直角方向一側部とコーナーブロックにおける枠部材の長手方向と直角方向一側部と対向した一側部が連結用ねじと引寄金具で連結され、コーナーブロックにおける枠部材の長手方向と直角方向他側部と対向した他側部のねじ挿通孔に挿通した組立用ねじが枠部材の長手方向と直角方向他側部のビスホールに螺合して連結するようにしても良い。
【０００９】
このようにすれば、枠部材とコーナーブロックを強固に連結できる。
【００１０】
本発明においては、長手方向と直角方向一側部に内向突部を有し、長手方向と直角方向他側部に押縁取付部を有する本体と、その押縁取付部に取付けた押縁で枠部材とし、
その本体の長手方向と直角方向一側部を連結用ねじと引寄金具でコーナーブロックにおける枠部材の長手方向と直角方向一側部と対向した一側部に連結し、
前記コーナーブロックにおける枠部材の長手方向と直角方向他側部と対向した他側部のねじ挿通孔に挿通した組立用ねじが前記本体の長手方向と直角方向他側部のビスホールに螺合して連結することもできる。
【００１１】
このようにすれば、押縁を外した状態で本体とコーナーブロックを連結し、その後に押縁を取付けることができるから、本体の押縁取付部側から引寄金具を凹部内に容易に設けることができ、その引寄金具と連結用ねじによる連結作業が容易である。
【発明の効果】
【００１２】
請求項１に係る発明によれば、枠部材に設けた連結用ねじとコーナーブロックの凹部に設けた引寄金具でコーナーブロックの端面に枠部材の端面を押しつけて連結できるから、枠体の隣接した２つの枠部材をコーナーブロックを用いて連結できると共に、コーナーブロックにはねじ挿通孔をあける必要がない。
したがって、コーナーブロックのコストが孔あけのために高くなることがないし、孔をふさぐキャップを設けていないから、外観の見栄えが良い。
【発明を実施するための最良の形態】
【００１３】
図１に示すように、枠体１にガラス２を装着して窓としてある。
前記枠体１の隣接した２つの枠部材３はコーナーブロック４を用いて連結してある。
前記コーナーブロック４は枠部材３の端面３ａが接する端面４ａを２つ備え、この２つの端面４ａは隣接した２つの枠部材３のなす角度に見合う角度で隣接している。
前記コーナーブロック４は、この２つの端面４ａに開口した凹部４ｂと、この凹部４ｂに設けた引寄金具支持部４ｃを有する。
前記各枠部材３は連結用ねじ５を備え、この連結用ねじ５は枠部材３の長手方向に向いていると共に、その頭部５ａは端面３ａよりも突出している。
前記隣接した２つの枠部材３の端面３ａをコーナーブロック４の２つの端面４ａに接し、各連結用ねじ５の頭部５ａはコーナーブロック４の凹部４ｂにそれぞれ突出している。
【００１４】
前記コーナーブロック４の凹部４ｂには引寄金具６が設けてある。この引寄金具６の中間部が前記引寄金具支持部４ｃに接し、かつ両側部が連結用ねじ５の頭部５ａを支持し、その引寄金具６の弾性復元力で連結用ねじ５をコーナーブロック４に向けて引き寄せ、各枠部材３の端面３ａをコーナーブロック４の端面４ａにそれぞれ押しつけて隣接する２つの枠部材３をコーナーブロック４で連結している。
【００１５】
図１に示す実施の形態では、３つの枠部材３を３つのコーナーブロック４を用いて三角形状に連結して枠体１としてある。
そして、９０度よりも小さな角度（例えば、４５°）で連結した２つの連結部が、前述のようにしてそれぞれ連結され、９０度で連結した残りの連結部はコーナーブロック４にねじ挿通孔４ｄをあけ、そのねじ挿通孔４ｄを挿通した組立用ねじ７を枠部材３に螺合して連結してある。
前述の実施の形態では、枠部材３の端面３ａは長手方向に対して直角で、前述の２つの連結部に用いるコーナーブロック４の２つの端面４ａは１３５°で、隣接した２つの枠部材３を４５°に連結している。
残りのコーナーブロック４の２つの端面４ａは９０°で、隣接した２つの枠部材３を９０度に連結している。
【００１６】
このようにしても、２つのコーナーブロック４にはねじ挿通孔をあけなくとも良いから、２つのコーナーブロック４は孔あけのためにコストが高くなることがない。すなわち、枠体１における少なくとも１つの隣接した２つの枠部材３をコーナーブロック４を介して前述のように連結すれば良い。
【００１７】
次に、各部材の具体形状を説明する。
前記枠部材３は図２に示すように、本体１０と押縁２０を備えている。本体１０は長手方向と直角方向一側部にガラス支持用の内向突部１１を有し、長手方向と直角方向他側部に押縁取付部１２を有し、その押縁取付部１２に樹脂の形材１３が取付けてあり、その樹脂の形材１３に樹脂の押縁２０が取付けてある。この押縁２０と前記内向突部１１で凹部３ｂを形成し、その凹部３ｂにガラス２が装着してある。
前記本体１０の長手方向と直角方向一側部に一側ビスホール１４が長手方向に連続して有し、本体１０の長手方向と直角方向他側部に他側ビスホール１５が長手方向に連続して有する。
【００１８】
前記コーナーブロック４は図３に示すように、枠部材３の長手方向と直角方向一側に位置する一側面板３０と枠部材３の長手方向と直角方向他側に位置する他側面板３と上面板３２と下面板３３で一端部が開口したブロック形状で、枠部材３の凹部３ｂと対向した一側凹部３４と、枠部材３の押縁押付部１２と対向した他側凹部３５を有している。
この一側凹部３４が前述した凹部４ｂで、この一側凹部３４と他側凹部３５は枠部材３の長手方向と直角方向に連続し、その一側凹部３４内に前述の引寄金具６を収容して設け易くしてある。
なお、図３においては他側面板３１に切欠開口部３１ａが形成され、この切欠開口部３１ａから引寄金具６を一側凹部３４内に収容して設け易くしてある。
【００１９】
前記一側面板３０、他側面板３１、上面板３２、下面板３３の端面が前述の２つの端面４ａで、その一側面板３０の内面に突起３６が枠部材３の長手方向と直角方向他側に向けて一体的に設けてある。この突起３６は一側凹部３４の開口端に位置し、その外側面３６ａは一側面板３１の端面（コーナーブロック４の端面４ａ）と連続し、内側面３６ｂは山形状である。この突起３６が前述の引寄金具支持部４ｃである。
前記上面板３２、下面板３３の他側部（他側凹部３５を形成する部分）にはビス挿通孔３７がそれぞれ形成してある。例えば、上面板３２、下面板３３の他側部は図４に示すように凹溝３２ａ，３３ａが長手方向に亘って形成されて端部にフランジ３２ｂ，３３ｂを有し、そのフランジ３２ｂ，３３ｂにビス挿通孔３７が形成してある。
この各ビス挿通孔３７は上面３２、下面板３３の長手方向に向いている。
前記上面板３２、下面板３３の中間部には取付片３８が一体的に設けてあり、枠部材３の本体１０にも取付片１６が一体的に設けてある。
【００２０】
前記枠部材３の一側ビスホール１４に連結用ねじ５が螺合してある。この連結用ねじ５は図３に示すように頭部５ａの近くにワッシャ部５ｂを備え、そのワッシャ部５ｂを枠部材３の端面３ａに接することで頭部５ａが端面３ａから突出するようにしてある。
前記引寄金具６は図３に示すように、中間Ｖ字状片４０と、その長手方向両側部と一体的に連続した両側片４１を有した所定の幅を有する長尺な板状で、その両側片４１の幅方向一端面に切欠部４２が形成してある。この切欠部４２に連結用ねじ５が挿通して頭部５ａが引っかかって抜けないようになる。
【００２１】
図５に示すように、隣接した２つの枠部材３の端面３ａをコーナーブロック４の２つの端面４ａにそれぞれ接し、各連結用ねじ５の頭部５ａをコーナーブロック４の一側凹部３４内にそれぞれ突出する。この連結用ねじ５の頭部５ａは突起３６の突出方向中間に位置し、突起３６は頭部５ａよりも他側方に延出している。
これによって、コーナーブロック４の各ねじ挿通孔３７が各枠部材３の他側ビスホール１５とそれぞれ連続するので、組立用ねじ７をねじ挿通孔３７を通して他側ビスホール１５にそれぞれ螺合して枠部材３の長手方向と直角方向他側部（例えば、押縁取付部１２部分）とコーナーブロック４における枠部材３の長手方向と直角方向他側部と対向した他側部（例えば、他側凹部３５部分）を連結する。
【００２２】
この後に、引寄金具６をコーナーブロック４の他側方から一側凹部３４内に入れ、その中間Ｖ字状片４０を引寄金具支持部４ｃ（突起３６の内側面３６ｂ）に接する。
この実施の形態であれば、コーナーブロック４の他側面板３１に切欠部３１ａが形成されているので、引寄金具６を図５の矢印ａで示すように一側方に向けて移動することで、容易に突起３６の内側面３６ｂに接することができる。
【００２３】
前記引寄金具６の両側片４１（両側部）を、突起３６に接している部分を支点として枠部材３に向けて押すことで引寄金具６を、その中間部を境として両側部を枠部材３に向けて弾性変形し、その状態で一側方にスライドして両側片４１の切欠部４２を連結用ねじ５の頭部５ａとフランジ部５ｂとの間に挿通して引寄金具６から手を離す。
これによって、引寄金具６が弾性復元して前述のように連結用ねじ５を引き寄せする。
【００２４】
このようにすることで、枠部材３の長手方向と直角方向両側部とコーナーブロック４の両側部をそれぞれ連結できるから、強固に連結できる。
しかも、枠部材３の長手方向と直角方向他側部、つまり押縁取付部１２部分を組立用ねじ７で連結し、長手方向と直角方向一側部、つまり凹部３ｂ部分を連結用ねじ５と引寄金具６で連結するので、その引寄金具６で連結する際に押縁２０を外しておくことによって、その引寄金具６による連結作業がやり易くなる。
この場合にはコーナーブロック４にねじ挿通孔３７を形成するが、このねじ挿通孔３７は強固に連結するためであるし、他側部にのみ形成してあり、一側部にはねじ挿通孔を形成していない。
【００２５】
なお、組立用ねじ７で一側部を連結し、連結用ねじ５と引寄金具６で他側部を連結しても良い。
また、両側部を連結用ねじ５と引寄金具６でそれぞれ連結しても良い。
また、一側部又は他側部、あるいは中間部の１ヶ所のみを連結用ねじ５と引寄金具６で連結しても良い。
【００２６】
前記引寄金具６は図６に示すように、Ｖ字形状の板４３の両端部を折曲して側片４４とし、この側片４４に切欠部４５を形成した形状でも良い。
【００２７】
前述の実施の形態では引寄金具６の弾性復元力で連結用ねじ５を引き寄せしたが、引寄金具６のクサビ作用で引き寄せしても良いし、引寄金具６の弾性復元力とクサビ作用で引き寄せるようにしても良い。
例えば、引寄金具６の切欠部４２の両側縁に沿ってテーパ部を形成し、そのテーパ部が連結用ねじ５の頭部５ａに順次押しつけられることで引き寄せる形状とする。
【００２８】
前述した枠体１は三角形であるが、これに限ることはなく、四角形、五角形、六角形などでも良い。
【図面の簡単な説明】
【００２９】
【図１】窓の一部破断正面図である。
【図２】図１のＡ−Ａ拡大断面図である。
【図３】枠部材とコーナーブロックと引寄金具の分解斜視図である。
【図４】コーナーブロックの斜視図である。
【図５】２つの枠部材とコーナーブロックを突き合わせた状態の斜視図である。
【図６】引寄金具の他の実施の形態を示す斜視図である。
【符号の説明】
【００３０】
１…枠体、２…ガラス、３…枠部材、３ａ…端面、４…コーナーブロック、４ａ…端面、４ｂ…凹部、４ｃ…引寄金具支持部、５…連結用ねじ、５ａ…頭部、６…引寄金具、７…組立用ねじ、１０…本体、１１…内向突部、１２…押縁取付部、２０…押縁、３７…ねじ挿通孔。
【図１】
2006207261.tif 000003
【図２】
2006207261.tif 000004
【図３】
2006207261.tif 000005
【図４】
2006207261.tif 000006
【図５】
2006207261.tif 000007
【図６】
2006207261.tif 000008